(57)【要約】【課題】  呼び出しランプにおいて、部品点数を削減するとともに光源点灯用の操作部材を配置するためのスペースを不要にする。【解決手段】  ベース６に搭載されたプリント基板２に実装されたＬＥＤ３はリミットスイッチ５を作動させることにより点灯する。ＬＥＤ３およびリミットスイッチ５を覆う光拡散部材６は、ＬＥＤ３方向に移動自在に支持され、リミットスイッチ５を作動させる作動部２０ａが設けられている。光拡散部材８を覆うレンズ９は、ＬＥＤ３方向に移動自在に支持され、移動させることにより光拡散部材８が連動して移動し、作動部２０ａによってリミットスイッチ５が作動する。【選択図】  図３
2011131003.tif 000002
【特許請求の範囲】
【請求項１】
光源およびこの光源を点灯させるスイッチと、
これら光源およびスイッチを覆い、当該スイッチに向かって進退自在に支持された光拡散部材と、
この光拡散部材を覆い、押下操作されることにより当該光拡散部材を前記スイッチに向かって前進させるレンズとを備え、
前記光拡散部材に、前記レンズを介して当該光拡散部材を前記スイッチに向かって前進させることにより前記スイッチを作動させる作動部を設けたことを特徴とする呼び出しランプ。
【請求項２】
前記光源およびスイッチが実装されたプリント基板と、
このプリント基板が搭載され、前記光拡散部材を支持するベースとを備え、
前記光拡散部材に、前記ベースとの間に介装され、前記レンズによって前進させた当該光拡散部材を後退させる方向に付勢する弾性片を一体に設けたことを特徴とする請求項１記載の呼び出しランプ。
【発明の詳細な説明】
【技術分野】
【０００１】
本発明は、パチンコ台やパチスロ台等の各遊技機周辺に取り付けられる係員呼び出し用のランプに関するものである。
【背景技術】
【０００２】
この種の呼び出しランプとしては、内部に収納されたＬＥＤから照射された光を拡散させる発光面が形成された本体と、この本体の発光面を覆うように本体に取り付けられレンズとして機能するカバーと、係員を呼ぶための呼び出し用ボタンとを備え、遊技者が呼び出し用ボタンを押下操作し、ＬＥＤを発光させることにより係員に報知するようにしたものがある（例えば、特許文献１参照）。
【先行技術文献】
【特許文献】
【０００３】
【特許文献１】特開２０００−１３５３１７号公報
【発明の概要】
【発明が解決しようとする課題】
【０００４】
上述したような従来の呼び出しランプにおいては、光源を点灯させるための呼び出し用ボタンが呼び出しランプとは別に設けられているため、部品点数が増加するだけではなく、呼び出し用ボタンを配置するためのスペースが必要になるという問題があった。
【０００５】
本発明は上記した従来の問題に鑑みなされたものであり、その目的とするところは、部品点数を削減するとともに光源点灯用の操作部材を配置するためのスペースを不要にするところにある。
【課題を解決するための手段】
【０００６】
この目的を達成するために、本発明は、光源およびこの光源を点灯させるスイッチと、これら光源およびスイッチを覆い、当該スイッチに向かって進退自在に支持された光拡散部材と、この光拡散部材を覆い、押下操作されることにより当該光拡散部材を前記スイッチに向かって前進させるレンズとを備え、前記光拡散部材に、前記レンズを介して当該光拡散部材を前記スイッチに向かって前進させることにより前記スイッチを作動させる作動部を設けたものである。
【０００７】
本発明は、前記発明において、前記光源およびスイッチが実装されたプリント基板と、このプリント基板が搭載され、前記光拡散部材を支持するベースとを備え、前記光拡散部材に、前記ベースとの間に介装され、前記レンズによって前進させた当該光拡散部材を後退させる方向に付勢する弾性片を一体に設けたものである。
【発明の効果】
【０００８】
本発明によれば、レンズがスイッチを作動させる操作部材を兼用しているため、部品点数が削減されるだけではなく、スイッチを作動させるボタンを配置するための専用のスペースが不要になる。また、レンズを介して間接的に光拡散部材を押下するようにしているため、光拡散部材の変形を防止することができる。また、従来のボタン操作に比較してレンズの外形が大きいから操作性が向上する。
【０００９】
前記発明のうちの一つの発明によれば、弾性片を光拡散部材に一体に設けたことにより、付勢部材の組付け忘れがなくなるだけではなく組付け工数も削減することができる。
【図面の簡単な説明】
【００１０】
【図１】本発明に係る呼び出しランプの外観を示し、同図（Ａ）は平面図、同図（Ｂ）は側面図である。
【図２】図１（Ａ）におけるII-II 線断面図であって、同図（Ａ）は呼び出しランプを点灯させていない状態を示し、同図（Ｂ）は呼び出しランプを点灯させた状態を示す。
【図３】図１（Ａ）におけるIII-III 線断面図であって、同図（Ａ）は呼び出しランプを点灯させていない状態を示し、同図（Ｂ）は呼び出しランプを点灯させた状態を示す。
【図４】本発明に係る呼び出しランプにおける光拡散部材を示し、同図（Ａ）は平面図、同図（Ｂ）は側面図、同図（Ｃ）は同図（Ａ）におけるIV（Ｃ）-IV（Ｃ） 線断面図である。
【図５】本発明に係る呼び出しランプにおけるベースの平面図である。
【図６】本発明に係る呼び出しランプにおいて、レンズおよびカバーを取り外した状態の平面図である。
【図７】図２（Ａ）におけるVII-VII 線断面図である。
【図８】本発明に係る呼び出しランプにおいて、カバーに光拡散部材を組み付けた状態の底面図である。
【発明を実施するための形態】
【００１１】
以下、本発明の実施の形態を図１ないし図８に基づいて説明する。なお、明細書中において方向を説明するために使用した「上、下」は、あくまでも図中における方向を説明した便宜上のものであって、本発明に係る呼び出しランプが実際に使用される際の上、下の方向とは必ずしも一致するものではない。
【００１２】
図２に全体を符号１で示す呼び出しランプは、プリント基板２に実装された光源としての一対のＬＥＤ３，３およびリミットスイッチ５と、プリント基板２が搭載されるベース６と、このベース６に固定されるカバー７と、前記一対のＬＥＤ３，３およびリミットスイッチ５を覆う光拡散部材８と、この光拡散部材８を覆うレンズ９とによって概ね構成されている。
【００１３】
リミットスイッチ５は、図５および図７に示すようにプリント基板２の中央部に設けられており、図３に示すように作動杆５ａが光拡散部材８の後述する作動突部２０ａによって押下されることによりＬＥＤ３，３が点灯する。
【００１４】
ベース６は、図５に示すように円板状に形成されており、図２に示すように周縁の下端には袴部１１が下方に向かって突設され、プリント基板２を固定するためのスタッド１２が立設されている。また、ベース６の上面の周縁部には、図５に示すように光拡散部材８の後述する弾性片２２が載置される載置片１３と、光拡散部材８が図２中矢印Ｂ方向へ移動したときにこの光拡散部材８の後述する鍔２１が係止される係止片１４とが立設されている。
【００１５】
図５において、１５，１５はボルトを挿通させための一対の挿通孔であって、この挿通孔１５を挿通させたボルトをカバー７の後述するスタッド１８ｂに螺合させることにより、カバー７がベース６に固定される。１６は呼び出しランプ１を図示しない遊技機周辺の設置面に設置するためのボルトを挿通させる挿通孔である。
【００１６】
カバー７は、図２に示すように円筒状に形成されており、上端縁に内フランジ１８が設けられ、この内フランジ１８の下面には、光拡散部材８の矢印Ａ−Ｂ方向への移動を案内するガイド壁１８ａが下方に向かって突設され、内フランジ１８の端縁には、レンズ９の矢印Ａ−Ｂ方向への移動を案内するガイド壁１９が立設されている。内フランジ１８の下面には、図８に示すようにベース６の挿通孔１５に対応した一対のスタッド１８ｂ，１８ｂが突設されている。また、内フランジ１８にはベース６の挿通孔１６に対応した一対の遊挿孔１８ｃ，１８ｃが設けられている。
【００１７】
光拡散部材８は全体が透光性を有するプラスチックによって形成されており、図４に示すように周縁に鉛直壁２０ｂが全周にわたって形成された皿状の光拡散部２０と、鉛直壁２０ｂの開口端に、一体に突設された鍔２１および平面視において円周方向に等間隔をおいて断面が逆への字状に形成された三つの弾性片２２とからなる。光拡散部２０の裏面には、全体にわたってシボ加工によってＬＥＤ３，３からの光を拡散させる無数の微細な凹凸が形成されており、裏面中央部にはリミットスイッチ５を作動させる作動突部２０ａが一体に突設されている。
【００１８】
鍔２１には略全周にわたって鉛直壁２０ｂと対向するリブ２１ａが立設されており、このリブ２１ａと鉛直壁２０ｂとの間に係入溝２３が形成されている。また、鍔２１の三つの弾性片２２間の部位には、レンズ９の後述する弾性係合片２５が係入される三つの係入孔２１ｂが円周方向に等間隔をおいて設けられている。
【００１９】
レンズ９は、図２に示すように全体が乳白色のプラスチックによってドーム状に形成されており、開口端部９ａの厚みが薄く形成されている。また、レンズ９の開口端の円周方向に三等分した部位には、図３に示すように先端に係合爪２５ａが形成された三本の弾性係合片２５（二本の弾性係合片２５は図示を省略）が下方に向かって一体に突設されている。レンズ９の頂部９ｂの表面には、図１（Ａ）に示すようにレンズ９を押下操作するための押下操作位置を指示する表示が付されている。
【００２０】
次に、主に図２ないし図４を用いて、このように構成された呼び出しランプの組付け方法について説明する。予め、図２に示すようにＬＥＤ３，３およびリミットスイッチ５が実装されたプリント基板２をベース６のスタッド１２に搭載させておく。この状態で、ベース６の三つの載置片１３上のそれぞれに、光拡散部材８の各弾性片２２を載置させる。
【００２１】
次いで、カバー７を光拡散部材８の上方から被せ、内フランジ１８の下面を光拡散部材８の鍔２１の上面に対接させ、ベース６の下方側から挿通孔１５（図６参照）に挿通させたボルトをスタッド１８ｂに螺合させることにより、カバー７をベース６に固定する。
【００２２】
この状態で、光拡散部材８はカバー７のガイド壁１８ａによって、矢印Ａ−Ｂ方向に移動自在に案内され、鍔２１がベース６の係止片１４に係止されるまで、矢印Ｂ方向への移動が可能となる。鍔２１がベース６の係止片１４に係止されると、載置片１３に載置されている光拡散部材８の弾性片２２が弾性変形し、この弾性変形によって光拡散部材８は矢印Ａ方向に付勢される。
【００２３】
次いで、レンズ９の開口端部９ａを係入溝２３内に挿入させ、三本の弾性係合片２５を、弾性変形させながら光拡散部材８の三つの係入孔２１ｂに係入させることにより、図３（Ａ）に示すように係合爪２５ａを係入孔２１ｂの孔縁に係合させる。この状態で、レンズ９の光拡散部材８からの矢印Ａ方向への抜けが規制され、レンズ９がカバー７のガイド壁１９によって矢印Ａ−Ｂ方向に移動自在に支持されるとともに、開口端部９ａの下端が係入溝２３の底部に当接する。
【００２４】
最後に、カバー７の遊挿孔１８ｃ（図８参照）から遊挿させたボルトをベース６の挿通孔１６に挿通させ、遊技機周辺の設置面に設けたねじ孔に螺合させることにより、呼び出しランプ１が設置面に取り付けられる。
【００２５】
このように、遊技機周辺の設置面に取り付けられた呼び出しランプ１において、遊技者が係員を呼ぶ場合は、レンズ９の頂部９ｂを指等によって矢印Ｂ方向へ押下操作することにより、レンズ９が矢印Ｂ方向へ移動する。このレンズ９の矢印Ｂ方向への移動に連動し、レンズ９の開口端部９ａの下端が鍔２１に当接している光拡散板８が、弾性片２２の付勢力に抗して矢印Ｂ方向へ移動する。
【００２６】
光拡散部材８が矢印Ｂ方向へ移動し、光拡散部材８の鍔２１が係止片１４に係止されることにより、リミットスイッチ４が作動突部２０ａによって作動されるのでＬＥＤ３，３が点灯する。レンズ９の頂部９ｂの矢印Ｂ方向への押下操作を解除することにより、光拡散部材８は弾性片２２の付勢力によって矢印Ａ方向へ移動し、これと連動してレンズ９も矢印Ａ方向に移動する。
【００２７】
このように、レンズ９がスイッチ５を作動させる部材を兼用しているため、部品点数が削減されるというだけではなく、スイッチ５を作動させるボタンを配置するための専用のスペースが不要になる。また、レンズ９を介して間接的に光拡散部材８を押下するようにしているため、光拡散部材８の変形を防止することができる。また、従来のボタン操作に比較して操作部であるレンズ９の外形が大きいから操作性が向上する。また、弾性片２２を光拡散部材８に一体に設けたことにより、付勢部材の組付け忘れがなくなるだけではなく組付け工数も削減することができる。
【００２８】
なお、本実施の形態においては、弾性片２２の付勢力のみによって光拡散部材８を復帰させるようにしたが、ベース６と光拡散部材８との間に圧縮コイルばねを介装し、弾性片２２と圧縮コイルばねとを併用してもよい。
【符号の説明】
【００２９】
１…呼び出しランプ、２…プリント基板、３…ＬＥＤ（光源）、５…リミットスイッチ、６…ベース、７…カバー、８…光拡散部材、９…レンズ、２０ａ…作動部、２２…弾性片、２５…弾性係合片。
【図１】
2011131003.tif 000003
【図２】
2011131003.tif 000004
【図３】
2011131003.tif 000005
【図４】
2011131003.tif 000006
【図５】
2011131003.tif 000007
【図６】
2011131003.tif 000008
【図７】
2011131003.tif 000009
【図８】
2011131003.tif 000010